(57)【要約】【課題】  本発明は、例えば冷凍食品等の食品を包み込む食品パッケージに関し、食品を取り出さずにそのまま調理する領域を広げる。【解決手段】  多角形の上面１１および下面と、該上面と該下面の縁どうしを上下に繋ぐとともに共同して該縁を一周する側面１３とを有する食品パッケージであって、隣接する側面どうしが接する角部１０ａ近傍を破断して角部１０ａが存在していた部分を解放する角部切込線が形成されていて、その角部切込線が、角部で接する２つの側面の角部寄りそれぞれに形成された、２つの側面それぞれを上下方向に切断する２つの側面切込線と、上面に形成され２つの側面切込線双方に繋がって上面を切断する上面切込線とを有し、角部切込線に沿って角部が切断され２つの側面切込線の下端どうしを結ぶ折曲線で折り曲げられて、角部１０ａが下面の下に配置される。【選択図】        図４
2014151958.tif 000002
【特許請求の範囲】
【請求項１】
多角形の上面および下面と、該上面と該下面の縁どうしを上下に繋ぐとともに共同して該縁を一周する側面とを有する食品パッケージであって、
隣接する側面どうしが接する角部近傍を破断して該角部が存在していた部分を解放する角部切込線が形成されていることを特徴とする食品パッケージ。
【請求項２】
前記角部切込線が、前記角部で接する２つの側面の該角部寄りにそれぞれ形成された、該２つの側面それぞれを上下方向に切断する側面切込線と、前記上面に形成され前記側面切込線に繋がって該上面を切断する上面切込線とを有し、該角部切込線に沿って該角部が切断され前記下面が前記側面切込線の下端どうしを結ぶ折曲線で折り曲げられて、該角部が該下面の下に配置されるものであることを特徴とする請求項１記載の食品パッケージ。
【請求項３】
前記下面に形成された前記折曲線を横切って延び互いの間の間隔が該折曲線を境とした一方よりも他方が広げられた２本の下面切込線を有し、該下面の、該２本の下面切込線に挟まれた部分を、前記角部切込線に沿って前記角部が切断されて該折曲線で折り曲げられた状態で前記他方を前記一方に向けて押し込むことにより該角部を該下面の下に配置された姿勢に維持するストッパとして作用させることを特徴とする請求項２記載の食品パッケージ。
【請求項４】
前記角部切込線が当該食品パッケージの角部それぞれに形成されていることを特徴とする請求項１から３のうちいずれか１項記載の食品パッケージ。
【請求項５】
電子レンジのマイクロ波エネルギーで発熱するサセプタが内部に設けられていることを特徴とする請求項１から４のうちいずれか１項記載の食品パッケージ。
【発明の詳細な説明】
【技術分野】
【０００１】
本発明は、例えば冷凍食品等の食品を包み込む食品パッケージに関する。
【背景技術】
【０００２】
食品を電子レンジで加熱したとき、電子レンジは食品中の水分を直接に加熱するため高々１００℃止まりである。このため、電子レンジは、焦げ目（ブラウニング）やパリッとした食感（クリスピー感）が得られにくいという問題があった。
【０００３】
近年、誘電加熱を利用して１００℃を大きく越える温度を得ることのできるサセプタを採用した電子レンジ加熱用容器やマイクロ波加熱パッケージが開発されてきている（特許文献１、２参照）。これらを利用すると電子レンジでの加熱でブラウニングやクリスピー感を得ることができ、電子レンジでの加熱調理の領域が大きく広がってきている。
【先行技術文献】
【特許文献】
【０００４】
【特許文献１】特開２０００−１４２８２５号公報
【特許文献２】特表２００９−５４２５３８号公報
【発明の概要】
【発明が解決しようとする課題】
【０００５】
電子レンジで加熱調理を行なうにあたっては、食品パッケージに入った状態で食料品店等で売られている食品を、その食品パッケージから取り出すことなく、その食品パッケージに入ったままの状態で加熱調理できることが好ましい。ここで、電子レンジの内部は標準的には狭い空間である。例えばパッケージに包み込まれ冷凍された状態で売られている冷凍ピザを例に挙げると、冷凍ピザ自体は円盤形状であって、食品パッケージから取り出せば電子レンジに入る寸法であったとする。この場合であっても、例えば立方体形状の食品パッケージに入れられたままだと、その食品パッケージの立方体の角の部分が邪魔になって電子レンジに入らなかったり入ってもターンテーブルが回転できないという事態が生じ得る。
【０００６】
また、食品パッケージを電子レンジ内に直置きするのではなく、その食品パッケージの下面側にもマイクロ波が回り込めるように、電子レンジ内に底を持ち上げた状態で置くことが好ましい。
【０００７】
また、加熱調理の手段が電子レンジか否かとは別に、食品によっては、加熱調理時に余計な油分を流し出すことが好ましいものもあり、食品パッケージに封入されたまま加熱調理を行なおうとすると、余計な油分を如何にして流し出すか、という問題もある。
【０００８】
本発明は、上記の事情に鑑み、食品を取り出さずにそのまま調理する領域を広げる食品パッケージを提供することを目的とする。
【課題を解決するための手段】
【０００９】
上記目的を達成する本発明の食品パッケージは、多角形の上面および下面と、それら上面と該下面の縁どうしを上下に繋ぐとともに共同して縁を一周する側面とを有する食品パッケージであって、隣接する側面どうしが接する角部近傍を破断して角部が存在していた部分を解放する角部切込線が形成されていることを特徴とする。
【００１０】
本発明の食品パッケージは、多角形の角部を破断してその角部が存在していた部分を開放する角部切込線が形成されているため、加熱調理にあたりその角部を破断して食品パッケージ内に必要以上に熱や蒸気等が籠るのを防ぐことができる。また、角部を破断することで、電子レンジ等の狭い空間に入れ易い形状となる。さらには電子レンジ内でその破断した角部を下に敷いてマイクロ波が下に回り込めるように食品パッケージを持ち上げた状態に保持することができる。さらには、その破断した角部を食品パッケージの隅の下に置いて食品パッケージを斜めの姿勢に保存することで、余計な油分を流し出すことも可能である。さらには、調理には直接には無関係であるが、その破断する角部にその食品パッケージに入った食品用の調味料、例えばマヨネーズやケチャップなどを入れておき、角部を破断したときに取り出せるようにすることも可能である。
【００１１】
ここで、本発明の食品パッケージにおいて、上記の角部切込線が、角部で接する２つの側面の角部寄りにそれぞれ形成され、それら２つの側面それぞれを上下方向に切断する側面切込線と、上面に形成され側面切込線に繋がって上面を切断する上面切込線とを有し、その角部切込線に沿って角部が切断され下面が側面切込線の下端どうしを結ぶ折曲線で折り曲げられて、角部が下面の下に配置されるものであることが好ましい。
【００１２】
この構造を採用すると、破断した角部が完全に切り離される場合と比較し、取り扱いが容易となる。
【００１３】
また、この場合、下面に形成された上記の折曲線を横切って延び互いの間の間隔がその折曲線を境とした一方よりも他方が広げられた２本の下面切込線を有し、下面の、それら２本の下面切込線に挟まれた部分を、角部切込線に沿って角部が切断されて折曲線で折り曲げられた状態で上記の他方を上記の一方に向けて押し込むことにより角部を下面の下に配置された姿勢に維持するストッパとして作用させることが更に好ましい。
【００１４】
この構造を採用すると、角部が下面の下に固定されるため、取扱いが一層容易となる。
【００１５】
さらに、本発明の食品パッケージは、上記の角部切込線がこの食品パッケージの角部それぞれに形成されていることが好ましい。
【００１６】
角部それぞれを破断できるようにしておくことで、例えば角部全てを破断して電子レンジ内に収容し易くすることや、隣接する２つの角部を破断してそれら２つの角部のみ下面の下に置くことで斜めに配置して余計な油分を流し出すなど、一層多彩な使い方が可能となる。
【００１７】
さらに、本発明の食品パッケージにおいて、電子レンジのマイクロ波エネルギーで発熱するサセプタが内部に一体又は別体に設けられていることも好ましい形態である。
【００１８】
内部にサセプタを設けることでブラウニングやクリスピー感を向上させることができ、その食品パッケージに封入する食品の種類によっては、より良い調理が可能となる。
【発明の効果】
【００１９】
以上の本発明の食品パッケージによれば、食品を取り出さずにそのまま調理できる領域が大きく広げられる。
【図面の簡単な説明】
【００２０】
【図１】本発明の第１実施形態としての食品パッケージの外観斜視図である。
【図２】図１に示した食品パッケージの展開図である。
【図３】食品パッケージの、角部切込線に沿って角部を破断した状態を示した斜視図である。
【図４】食品パッケージの、電子レンジに入れる前の最終形態を示した斜視図である。
【図５】本発明の第２実施形態の食品パッケージの展開図である。
【図６】図５に展開図を示す第２実施形態の食品パッケージの使用状態を示す斜視図である。
【図７】本発明の第３実施形態の食品パッケージの展開図である。
【図８】図７に展開図を示す第３実施形態の食品パッケージの使用状態を示す斜視図である。
【発明を実施するための形態】
【００２１】
以下、本発明の実施の形態を説明する。
【００２２】
図１は、本発明の第１実施形態としての食品パッケージの外観斜視図である。また図２は、図１に示した食品パッケージの展開図である。
【００２３】
ここでは図１に示す組立てた状態であるか図２に示す展開した状態であるかを問わず、いずれも食品パッケージと称する。また後述するようにして角部を破断した後の状態においても、そのまま食品パッケージと称する。
【００２４】
この第１実施形態の食品パッケージは、冷凍ピザ用の食品パッケージであって、この食品パッケージに入れたまま電子レンジで加熱調理することを前提とするものである。さらに、ここでは、中に入っているピザを取り出すための構造は図示省略し、本発明の特徴を実施形態に具現化した点について図示している。以下の各図についても同様である。
【００２５】
この食品パッケージ１０Ａは、厚紙製であって、４角形の上面１１および下面１２と、４つの側面１３とを有する。それら４つの側面１３は、上面１１の縁１１１と下面１２の縁１１２を上下に繋ぐとともに共同してその縁を一周している。図２に示す展開図上では、４つの側面１３は上面１１の縁１１１や下面１２の縁１１２の周囲を取り巻くフラップ１３ａとして形成されており、組立時に貼り合わされて側面１３を構成する。この食品パッケージ１０Ａには、隣接する側面どうしが接する角部１０ａの近傍を破断して角部１０ａが存在していた部分を解放する角部切込線２０が形成されている。この角部切込線２０は、この食品パッケージの４つの角部１０ａのそれぞれに形成されている。
【００２６】
また、この食品パッケージ１０Ａは冷凍ピザが収容される予定のものであり、この食品パッケージ１０Ａの上面１１および下面１２の、図１に示すように組み立てた状態における内側の面には、電子レンジで加熱される、フィルム状のサセプタ３０が貼り付けられている。このサセプタ３０は、この冷凍ピザをこの食品パッケージ１０Ａに入れたまま電子レンジで加熱調理した際に収容されているピザに焦げ目を付け、かつパリッとした食感を与えるためのものである。
【００２７】
尚、このサセプタ３０は、図２以外の図では図示省略されている。
【００２８】
ここで、本実施形態における角部切込線２０は、４つの角部１０ａのそれぞれについて、２つの側面切込線２１，２１と、上面切込線２２とを有する。側面切込線２１は、角部１０ａで互いに接する２つの側面１３，１３の、その角部寄りの部分にそれぞれ形成された、それら２つの側面１３，１３それぞれを上下方向に切断するための切込線である。また、上面切込線２２は、上面１１に形成された、２つの側面切込線２１，２１の双方に繋がって上面１１を切断するための切込線である。本実施形態ではこの上面切込線２２は、ジッパー形の切込線である。
【００２９】
尚、側面切込線２１および上面切込線２２は、この食品パッケージ１０Ａをその切込線に沿って破断するためのものであり、この目的に適う限り、この食品パッケージを構成する厚紙の表裏面を貫いて切断された破線であってもよく、この厚紙の厚みの途中まで切断された破線であってもよい。
【００３０】
消費者の手元に渡るまでは、切込線に沿って切断される前の、図１に示す状態の食品パッケージ１０Ａの中に冷凍ピザが収められている。
【００３１】
この冷凍ピザは、消費者の手元に渡った後、この食品パッケージ１０Ａに収められた状態のまま、電子レンジで加熱調理される。ただし、加熱調理にあたっては、以下に説明するように、角部切断線２０に沿って破断してこの食品パッケージ１０Ａの内外に通じる開口が形成されるように角部２０を解放した状態で、電子レンジに入れられる。
【００３２】
図３は食品パッケージの、角部切込線に沿って角部を破断した状態を示した斜視図である。
【００３３】
この食品パッケージ１０Ａに収められている冷凍ピザを電子レンジで加熱調理するには、図１に示す状態の食品パッケージ１０Ａを角部切込線２０に沿ってこの図３に示すように角部を破断する。
【００３４】
図４は、食品パッケージの、電子レンジに入れる前の最終形態を示した斜視図である。
【００３５】
この食品パッケージ１０Ａの角部１０ａを図３に示すように破断した後、２つの側面切込線２２の下端どうしを結ぶ折曲線２３（図２参照）で折り曲げて、角部１０ａを下面１１の下に配置する。
【００３６】
また、図２に示すように、この食品パッケージ１０Ａの下面１２には、４つの角部１０ａのそれぞれに対応して、上記の折曲線２３を横切って延びる２本の下面切込線２４が形成されている。これら２本の下面切込線２４に挟まれた部分２５は、角部１０ａを図４に示すように下面１２の下に配置された姿勢に維持するストッパとして作用する。具体的には、この２本の下面切込線２４で挟まれた部分の間隔（ｄ１，ｄ２）は、折曲線２３を境とした一方２５ａ（本実施形態では角部１０ａ側）よりも他方２５ｂ（角部１０ａよりも中央寄り）の方が広い。すなわち、ｄ２＞ｄ１となっている。そこで、角部１０ａを折曲線２３で折り曲げて下面１２の下に配置した後、２本の下面切込線２４に挟まれた部分２５を、下に折り曲げるように押す。こうすると、図４に示すように、その２本の下面折曲線２４に挟まれた部分２５のうちの、上記の他方２５ｂ（幅広の部分）が上記の一方２５ａ（幅狭の部分）に向かって押し込まれ、上記の他方２５ｂの両側が上記の一方２５ａの両側の縁に引っ掛かり、角部１０ａが下面１２の下に配置された姿勢に維持される。このような角部１０ａを下面１２の下に折り曲げてストッパで固定する作業は、４隅の角部１０ａの全てについて行なわれ、食品パッケージ１０Ａが図４に示す形状となる。
【００３７】
この食品パッケージ１０Ａに収納されている冷凍ピザを電子レンジで加熱調理するときは、この食品パッケージ１０Ａを図４に示す形状に加工してから、冷凍ピザをこの食品パッケージ１０Ａに入れたまま、電子レンジに入れて加熱調理する。
【００３８】
食品パッケージ１０Ａをこの図４に示す形状に加工すると、４つの角部１０ａが取れて上方から見たときに８角形の形状となり、図１に示す４角形のままのときよりも円形に近く、その分、大きな寸法の食品パッケージに入った大きな寸法のピザを電子レンジでそのまま調理することができる。
【００３９】
また、図４に示す形状の場合、角部１０ａが下面１２の下に置かれていて下面１２が持ち上がった状態にあることから、電子レンジで調理する際にマイクロ波がこの食品パッケージ１０Ａの下にも回り込み、中の冷凍ピザの合体がより均一に加熱されることが期待される。
【００４０】
また、本実施形態の食品パッケージ１０Ａによれば、上面１１と下面１２の内側の面にサセプタ３０（図２参照）が貼付されているため、焦げ目が付き、また、パリッとした食感のピザに調理される。
【００４１】
さらに、調理とは直接には無関係であるが、本実施形態の食品パッケージ１０Ａの場合、角部１０ａをマヨネーズやケチャップなど、ピザの風味を向上させる調味料等を入れておくポケットとして利用してもよい。この角部１０ａに入っている調味料等は、この食品パッケージ１０Ａを図４に示す形に変形させたときにその角部１０ａから取り出される。
【００４２】
図５は、本発明の第２実施形態の食品パッケージの展開図である。上述の第１実施形態の食品パッケージ１０Ａと同じ作用を成す構成要素には、その第１実施形態の食品パッケージ１０Ａの図面に付した符号と同一の符号を付して示し、ここでは、その第１実施形態の食品パッケージ１０Ａとの相違点について説明する。
【００４３】
尚、この第２実施形態の食品パッケージ１０Ｂは、冷凍ピザを包むパッケージとは限らず、電子レンジでの加熱調理時に流れ出る余計な油分を食材と分離することが望ましい食材を包むためのものである。
【００４４】
この図５に示す第２実施形態の食品パッケージ１０Ｂの場合、図１に示す食品パッケージ１０Ａの下面１２に形成されている４本の折曲線２３のうちの隣接する２本の折曲線２３に代わり、ジッパー形の切込線２６が形成されている。残りの２本の折曲線２３は、図２に示す食品パッケージ１０Ａと同じである。
【００４５】
この第２実施形態の食品パッケージ１０Ｂは、図１と同様な形状に組み立てられた状態から、図５の左側の２つの角部については上面１１、下面１２、２つの側面１３，１３とも全て切り離される。右側の２つの角部については、図４と同じ形に折り曲げられる。
【００４６】
図６は、図５に展開図を示す第２実施形態の食品パッケージの使用状態を示す斜視図である。
【００４７】
この第２実施形態の食品パッケージ１０Ｂの場合、４つの角部１０ａのうちの隣接する２つの角部１０ａはこの食品パッケージ１０Ｂから完全に切り離されるため、この図６に示すように片側が持ち上げられて斜めになった状態となる。この状態で電子レンジに入れてこの食品パッケージ１０Ｂの中の食材を加熱調理すると、下面１１ａが斜面になっているため、その加熱調理中に流れ出た油分は下面１１を下って一方の側に流れる。これにより、余分な油分が食材と分離される。
【００４８】
尚、ここでは、４つの角部１０ａを切り離すか折り曲げることにより上面を８角形に加工する食品パッケージを示したが、電子レンジに入る寸法の食材および食品パッケージであれば、４つの角部１０ａのうちの隣接する２つの角部については折り曲げ、残りの２つの角部については何らの加工もせずに食品パッケージを斜めの姿勢に配置するようにしてもよい。この場合、流れた油分が食品パッケージの外にまで流れ出ることが防止され、流れ出た油分で電子レンジ内を汚さずに済む。
【００４９】
図７は、本発明の第３実施形態の食品パッケージの展開図である。上述の第１実施形態の食品パッケージ１０Ａと同じ作用を成す構成要素には、その第１実施形態の食品パッケージ１０Ａの図面に付した符号と同一の符号を付して示し、ここでは、その第１実施形態の食品パッケージ１０Ａとの相違点について説明する。
【００５０】
この図７に示す第３実施形態の食品パッケージ１０Ｃの場合、図１に示す食品パッケージ１０Ａの下面１２に形成されている４本の折曲線２３（図２参照）の全てに代わり、ジッパー形の切込線２６が形成されている。
【００５１】
この第３実施形態の食品パッケージ１０Ｃは、図１と同様な形状に組み立てられた状態から、４つの角部１０ａの全てについて、上面１１、下面１２、２つの側面１３，１３とも切り離され、４つの角部全てがこの食品パッケージ１０Ｃから完全に分離される。
【００５２】
図８は、図７に展開図を示す第３実施形態の食品パッケージの使用状態を示す斜視図である。
【００５３】
この第３実施形態の食品パッケージ１０Ｃの場合、４つの角部１０ａの全てがこの食品パッケージ１０Ｃから完全に切り離されるため、この図８に示すように単純な８角形の平板形状となる。この状態で電子レンジに入れてこの食品パッケージ１０Ｃの中の食材を加熱調理する。
【００５４】
この第３実施形態の食品パッケージ１０Ｃは、そのままでは電子レンジに入れるには角部が邪魔になるものの、図４に示すように持ち上げてマイクロ波を下面側に回り込ませる必要性がない場合などに有効である。
【００５５】
ここでは、この食品パッケージを厚紙で作る旨、説明したが、もっと厚みが欲しいときは段ボール等で作ってもよい。
【００５６】
また、サセプタ３０（図２参照）は、その食品パッケージ内に包み込まれる食材に応じて、ブラウニングやクリスピー感が必要な場合に設ければよく、必ずしもサセプタは必要ではない。
【００５７】
また、ここでは上面切込線としてジッパー形の切込線を例示したが角部近傍を破断してその角部が存在していた部分が解放されればよく、ジッパー形である必要はなく、例えば側面切込線と同様な切込線やハーフカットであってもよい。
【符号の説明】
【００５８】
１０Ａ，１０Ｂ，１０Ｃ    食品パッケージ
１０ａ    角部
１１    上面
１２    下面
１３    側面
２０    角部切込線
２１    側面切込線
２２    上面切込線
２３    折曲線
２４    下面切込線
３０    サセプタ
１１１，１１２    縁
【図１】
2014151958.tif 000003
【図２】
2014151958.tif 000004
【図３】
2014151958.tif 000005
【図４】
2014151958.tif 000006
【図５】
2014151958.tif 000007
【図６】
2014151958.tif 000008
【図７】
2014151958.tif 000009
【図８】
2014151958.tif 000010